(57)【要約】【課題】表示部が小さい場合であっても、選択する画像の視認性を確保するとともに、選択対象となる画像の数が膨大であっても、容易に所望の画像を選択可能とする。【解決手段】記憶部１３は、再生するコンテンツに係る画像データを記憶する。表示部１２は、画像データを画像として表示する。操作部１１は、画像データを任意の方向にスクロールさせる指示を受け付ける。制御部１０は、画像データを仮想的に縦方向ｎ行横方向ｍ列に配置するとともに、画像データの数がｍの整数倍ではない場合は、整数倍となるように空白部を加えた集合画像として表示部にその一部を表示させ、前記操作部によって任意の方向にスクロールさせる指示がなされた場合に、前記操作部によって指示された方向に前記空白部が配置されている場合は、前記空白部の直前に位置する画像より前記指示された方向へのスクロールを禁止する。【選択図】図１
2011166480.tif 000002
【特許請求の範囲】
【請求項１】
再生するコンテンツに係る画像データを記憶する記憶部、
前記記憶部に記憶されている画像データを画像として表示する表示部、
前記表示部に表示する画像データを任意の方向にスクロールさせる指示を受け付ける操作部、
前記画像を仮想的に縦方向ｎ行横方向ｍ列に配置するとともに、前記画像データの数がｎとｍの積となるように空白部を加えた集合画像として前記表示部にその一部を表示させ、前記操作部によって任意の方向にスクロールさせる指示がなされた場合には、前記集合画像を前記操作部において指示された方向にスクロールさせ、前記操作部によって指示された方向に前記空白部が配置されている場合は、前記空白部の直前に位置する画像より前記指示された方向へのスクロールを禁止し、前記操作部によって指示された方向へのスクロールにより前記集合画像の端部に配置されている画像に達した場合は、前記集合画像が仮想的に連続して配置されているようにスクロールするように表示させる制御部、
を備えることを特徴とする、コンテンツ再生装置。
【請求項２】
前記制御部は、前記操作部によって指示された方向に前記空白部が配置されている場合は、前記空白部の直前に位置する画像が全体表示されている場合に、前記空白部の直前に位置する画像より前記指示された方向へのスクロールを禁止することを特徴とする、
請求項１に記載のコンテンツ再生装置。
【請求項３】
前記制御部は、前記集合画像を構成する前記画像のうち一の前記画像のみを前記表示部に対して全体表示可能とするように表示することを特徴とする、
請求項１または２に記載のコンテンツ再生装置。
【請求項４】
前記制御部は、前記集合画像における横方向の配置を３列とすることを特徴とする、
請求項１から３のいずれかに記載のコンテンツ再生装置。
【請求項５】
記憶部に記憶されており、再生するコンテンツに係る画像データを、仮想的に縦方向ｎ行横方向ｍ列に配置するとともに、前記画像データの数がｎとｍの積となるように空白部を加えた集合画像として表示部にその一部を表示させるステップ、
操作部によって任意の方向にスクロールさせる指示がなされた場合には、前記集合画像を前記操作部において指示された方向にスクロールさせ、前記操作部によって指示された方向に前記空白部が配置されている場合は、前記空白部の直前に位置する画像より前記指示された方向へのスクロールを禁止し、前記操作部によって指示された方向へのスクロールにより前記集合画像の端部に配置されている画像に達した場合は、前記集合画像が仮想的に連続して配置されているようにスクロールするように表示させる制御を行うステップ、
を備えることを特徴とする、コンテンツ再生装置の制御方法。
【請求項６】
請求項５に記載のコンテンツ再生装置の制御方法の各ステップを、コンピュータに実行させるコンテンツ再生プログラム。
【発明の詳細な説明】
【技術分野】
【０００１】
本発明は、コンテンツ再生装置、コンテンツ再生装置の制御方法およびコンテンツ再生プログラムに関する。
【背景技術】
【０００２】
近年、楽曲データ等の音声データや画像データ、映像データを再生するコンテンツ再生装置として、ポータブル型のオーディオプレイヤやメディアプレイヤなどが普及している。これらのようなコンテンツ再生装置は、楽曲データ等のコンテンツとともに、そのコンテンツに係る画像データも記憶し、コンテンツ検索時やコンテンツ再生時に関連する画像データを表示する。画像データの例としては、楽曲データが収録されているアルバムのジャケット写真である。
【０００３】
従来のコンテンツ再生装置の例を、図８を用いて説明する。図８は従来のコンテンツ再生装置によりジャケット写真を用いた楽曲検索画面の表示概念図である。
【０００４】
ジャケット写真による楽曲検索は、通常、多数のジャケット写真を一覧表示してスクロールを行うことによって、所望のジャケット写真を選択することによりそのジャケット写真に係るアルバムに収録されている楽曲を選択可能とする。
【０００５】
図８において、表示部１２０は、コンテンツ再生装置における液晶表示装置などであり、複数のジャケット写真２００を横方向３列に仮想的に配置して表示部１２０に表示している。
【０００６】
図８において、ジャケット写真２００における実線部は、表示部１２０に表示されている範囲を示し、破線部は、表示部１２０に表示はされていないが、操作部１１０によるスクロールによって表示部１２０に表示されるジャケット写真２００を示している。
【０００７】
図８における複数のジャケット写真の配置は、上方向または下方向のスクロールによって全てのジャケット写真の表示が終了した場合であっても、スクロールが止まることなく繰り返し同一配置のジャケット写真が表示される。例えば、図８に示すように、ＡからＯのジャケット写真が表示対象である場合は、上方向へのスクロールによって、Ａ、Ｂ、Ｃの列が表示された後、スクロールは止まらずに、Ｍ、Ｎ、Ｏの列から再度表示される。
【０００８】
さらには、横方向にもスクロールが可能である場合も同様に、左右方向へのスクロールを行うことにより、表示部１２０に表示されている３列のジャケット写真２００が横方向に繰り返し表示される。
【０００９】
ユーザは、図８のように表示部１２０に表示されているジャケット写真２００を、所望のジャケット写真２００が表示されるようにスクロールさせ、所望のジャケット写真上に図示しないカーソル等が重畳された場合に、所望のジャケット写真を選択する操作を行う。このような操作によって、選択されたジャケット写真に係る楽曲データを再生する。
【００１０】
特許文献１には、インデックス画像を表示画面の縦横二次元に並べる装置が開示されている。
【先行技術文献】
【特許文献】
【００１１】
【特許文献１】特開２０００−１２５２５１号公報
【発明の概要】
【発明が解決しようとする課題】
【００１２】
従来のコンテンツ再生装置においては、横方向の表示画像を表示部の幅に収まるように表示するために、表示部のサイズが小さいコンテンツ再生装置である場合、ジャケット写真の視認性が良くない。さらに、記憶されているジャケット写真の数が膨大となった場合、ユーザはジャケット写真のスクロールにより、どの位置のジャケット写真が表示されているのか分からなくなり、所望のジャケット写真の検索が困難となってしまう。
【００１３】
本発明はこのような問題点に鑑みなされたものであり、コンテンツ再生装置の表示部が小さい場合であっても、選択する画像の視認性を確保し、画像が選択しやすいコンテンツ再生装置、コンテンツ再生装置の制御方法およびコンテンツ再生プログラムを提供することを目的とする。
【課題を解決するための手段】
【００１４】
上記目的を達成するために、第１の発明に係るコンテンツ再生装置１は、再生するコンテンツに係る画像データを記憶する記憶部、前記記憶部に記憶されている画像データを画像として表示する表示部、前記表示部に表示する画像データを任意の方向にスクロールさせる指示を受け付ける操作部、前記画像を仮想的に縦方向ｎ行横方向ｍ列に配置するとともに、前記画像データの数がｎとｍの積となるように空白部を加えた集合画像として前記表示部にその一部を表示させ、前記操作部によって任意の方向にスクロールさせる指示がなされた場合には、前記集合画像を前記操作部において指示された方向にスクロールさせ、前記操作部によって指示された方向に前記空白部が配置されている場合は、前記空白部の直前に位置する画像より前記指示された方向へのスクロールを禁止し、前記操作部によって指示された方向へのスクロールにより前記集合画像の端部に配置されている画像に達した場合は、前記集合画像が仮想的に連続して配置されているようにスクロールするように表示させる制御部、を備えることを特徴とする。
【００１５】
第２の発明に係るコンテンツ再生装置１は、第１の発明において、前記制御部は、前記操作部によって指示された方向に前記空白部が配置されている場合は、前記空白部の直前に位置する画像が全体表示されている場合に、前記空白部の直前に位置する画像より前記指示された方向へのスクロールを禁止することを特徴とする。
【００１６】
第３の発明に係るコンテンツ再生装置１は、第１または第２の発明において、前記制御部は、前記集合画像を構成する前記画像のうち一の前記画像のみを前記表示部に対して全体表示可能とするように表示することを特徴とする。
【００１７】
第４の発明に係るコンテンツ再生装置１は、第１から第３のいずれかの発明において、前記制御部は、前記集合画像における横方向の配置を３列とすることを特徴とする。
【００１８】
第５の発明に係るコンテンツ再生装置１の制御方法は、記憶部に記憶されており、再生するコンテンツに係る画像データを、仮想的に縦方向ｎ行横方向ｍ列に配置するとともに、前記画像データの数がｎとｍの積となるように空白部を加えた集合画像として表示部にその一部を表示させるステップ、操作部によって任意の方向にスクロールさせる指示がなされた場合には、前記集合画像を前記操作部において指示された方向にスクロールさせ、前記操作部によって指示された方向に前記空白部が配置されている場合は、前記空白部の直前に位置する画像より前記指示された方向へのスクロールを禁止し、前記操作部によって指示された方向へのスクロールにより前記集合画像の端部に配置されている画像に達した場合は、前記集合画像が仮想的に連続して配置されているようにスクロールするように表示させる制御を行うステップ、を備えることを特徴とする。
【００１９】
第６の発明に係るコンテンツ再生プログラムは、第５の発明における各ステップを、コンピュータに実行させる。
【発明の効果】
【００２０】
本発明のコンテンツ再生装置は、選択対象となる画像の数が膨大であっても、容易に所望の画像を選択可能とする。
【図面の簡単な説明】
【００２１】
【図１】本発明の実施例に係るコンテンツ再生装置のブロック図である。
【図２】本発明の実施例に係るコンテンツ再生装置の外観正面図である。
【図３】本発明の第１の実施例に係るコンテンツ再生装置の画像表示例を示す概念図である。
【図４】本発明の第１の実施例に係るコンテンツ再生装置のスクロールに伴う画像表示例を示す図である。
【図５】本発明の第１の実施例に係るコンテンツ再生装置のスクロールに伴う他の画像表示例を示す図である。
【図６】本発明の第２の実施例に係るコンテンツ再生装置のスクロールに伴う画像表示例を示す図である。
【図７】本発明の第２の実施例に係るコンテンツ再生装置のスクロールに伴う他の画像表示例を示す図である。
【図８】従来のコンテンツ再生装置における画像表示例を示す概念図である。
【発明を実施するための形態】
【００２２】
以下、本発明の第１の実施例におけるコンテンツ再生装置の構成について、図１および図２を参照して説明する。図１は、コンテンツ再生装置のブロック図であり、図２はコンテンツ再生装置の外観正面図である。
【００２３】
コンテンツ再生装置１は、携帯型や据置型の再生装置、録音再生装置、携帯電話装置、ＰＤＡ（Personal Digital Assistants）、ＰＮＤ（Portable Navigation Device）等、コンテンツに係る画像を表示する各種装置を対象とする。
【００２４】
コンテンツ再生装置１は、制御部１０、操作部１１、表示部１２、記憶部１３、ＤＡＣ（Digital Analog Converter）１４、出力部１５、ＡＤＣ（Analog Digital Converter）１６、入力部１７、外部Ｉ／Ｆ１８を備える。
【００２５】
制御部１０は、例えば、ＣＰＵ（Central Processing Unit）、ＲＡＭ（Random Access Memory）、ＲＯＭ（Read Only Memory）、ＤＳＰ（Digital Signal Processor）等を備えて構成され、各部を制御するとともに、後述する操作部１１による操作に基づき、後述する表示部１２への各種情報の表示制御やスクロール等の制御を行う。
【００２６】
制御部１０は、各種コンテンツのデータの再生を行うとともに、各種コンテンツの再生のために、コンテンツデータのデコード処理や、音声処理、画像処理等を行う。
【００２７】
操作部１１は、ユーザがコンテンツ再生装置１の各種操作を行うためのユーザインターフェースであり、図２に示した機械的スイッチによるものに加えて、表示部１２に重畳するタッチパネルや、光学的なセンサによるものであってもよい。操作部１１の例としては、図２に示すように、上方向操作部１１Ｕ、下方向操作部１１Ｄ、左方向操作部１１Ｌ、右方向操作部１１Ｒ、決定操作部１１Ｅを備える。
【００２８】
上方向操作部１１Ｕは、ユーザに操作されることによって、制御部１０の処理により、表示部１２に表示されている情報を上方向に移動させる。下方向操作部１１Ｄは、ユーザに操作されることによって、制御部１０の処理により表示部１２に表示されている情報を下方向に移動させる。
【００２９】
左方向操作部１１Ｌは、ユーザに操作されることによって、制御部１０の処理により表示部１２に表示されている情報を左方向に移動させる。右方向操作部１１Ｒは、ユーザに操作されることによって、制御部１０の処理により表示部１２に表示されている情報を右方向に移動させる。決定操作部１１Ｅは、ユーザに操作されることによって、制御部１０の処理により各種処理の決定や画像、コンテンツ等の選択を決定する。
【００３０】
表示部１２は、コンテンツに係る各種情報やコンテンツ再生装置１の動作情況、操作に係る各種表示を行い、例えば液晶や有機ＥＬ（Electro Luminescence）からなる表示素子により構成される。
【００３１】
記憶部１３は、例えばメモリやＨＤＤ（Hard Disk Drive）により構成され、コンテンツのデータや、画像データ等のコンテンツに係る各種データを記憶する。
記憶部１３に用いられるメモリやＨＤＤは、コンテンツ再生装置１に内蔵されているものに加えて、図示しないメモリカードスロットを介した外部メモリカードや、後述する外部Ｉ／Ｆ１８により接続された外部メモリや外部ＨＤＤでもよい。
【００３２】
ＤＡＣ１４は、制御部１０を介して出力されるデジタル音声データをアナログ音声信号に変換し、後述する出力部１５に出力する。
【００３３】
出力部１５は、ＤＡＣ１４によりアナログ変換された音声信号を出力する端子であり、図示しないヘッドホンや外部オーディオ装置を接続するステレオミニジャック、図示しないスピーカを接続するスピーカ端子、またはコンテンツ再生装置１に内蔵されるスピーカであってもよい。
【００３４】
ＡＤＣ１６は、後述する入力部１７から入力されるアナログ音声信号をデジタル音声データに変換し、制御部１０に出力する。
【００３５】
入力部１７は、図示しない外部の装置や外部のマイクロホンからのアナログ音声信号を入力する端子であり、ステレオミニジャックなどからなる。入力部１７と出力部１５は、各々設けられてもよく、１つの端子として共用してもよい。
【００３６】
外部Ｉ／Ｆ１８は、例えばＵＳＢ（Universal Serial Bus）やＨＤＭＩ（High-Definition Multimedia Interface）端子であり、ＵＳＢ接続される外部のメモリやＨＤＤ、外部装置としてのパーソナルコンピュータ、ＨＤＭＩ接続される外部のオーディオ装置やビデオ装置と接続され、情報の授受を行う。
【００３７】
次に、本発明の第１の実施例として、コンテンツ再生装置１における画像表示の動作例について図３、図４及び図５に基づき説明する。図３は、コンテンツ再生装置１の表示部１２における画像表示例の概念図であり、記憶部１３にジャケット写真２０がジャケット写真２０Ａから２０Ｎまでが記憶されている場合の例を示している。
【００３８】
図３に示すようなジャケット写真２０の表示は、例えば、操作部１１における操作によって、楽曲検索メニューにおけるアルバム検索を実行することによって表示される。アルバム検索が実行されると、制御部１０は、記憶部１３に記憶されているアルバム情報および各アルバムの画像データに基づき、記憶部１３に記憶されている全てのアルバムに関するジャケット写真２０を、例えば横方向に３列、縦方向に５行の仮想的な集合画像３０として表示部１２に表示する。
【００３９】
図３において、集合画像３０とは、表示部１２に表示する範囲内においてジャケット写真２０が縦横に連結した１枚の画像を仮想的に構成するように、制御部１０により表示される画像である。図３における実線部は、集合画像３０において表示部１２に表示されているジャケット写真２０の配置を示し、破線部は、集合画像３０において操作部１１の操作によって表示部１２で表示される範囲が移動したときに表示されるジャケット写真２０の配置を示している。
【００４０】
図３の例では、集合写真３０は縦方向５行横方向３列に配列されており、ジャケット写真２０Ａから２０Ｎによる５×３の配置に不足する箇所には、空白部２２が配置される。
【００４１】
表示部１２においては、ジャケット写真２０Ｈが全体表示され、その周辺にジャケット写真２０Ｄ、２０Ｅ、２０Ｆ、２０Ｇ、２０Ｉ、２０Ｊ、２０Ｋ、２０Ｌの一部が表示されている。ここでの各ジャケット写真２０の表示サイズは、表示部１２のサイズに対して、ジャケット写真２０のうち１枚のみ全体表示可能なサイズとする。
【００４２】
例えば、表示部１２の表示画素数が２４０×４００ドットである場合、ジャケット写真２０の各サイズは、短辺となる２４０ドット以下であり、且つ長辺となる４００ドットの半分以上のサイズであることが望ましく、例えば２２０×２２０ドットのサイズである。
【００４３】
このような表示を行うことにより、操作部１１の操作によりスクロールを行っても、表示部１２に全体表示されるジャケット写真２０は１枚に限られる。このため、全体表示されているジャケット写真２０の表示位置が表示部１２の中心からずれていても、ジャケット写真２０より所望の１枚が特定でき、決定操作部１１Ｅの操作により全体表示されている所望のジャケット写真２０を選択することができる。
【００４４】
図３の場合は、ジャケット写真２０Ｈが全体表示されており、ジャケット写真２０Ｈが全体表示されていれば、ジャケット写真２０Ｈがどの位置であっても、決定操作部１１Ｅを操作することによりジャケット写真Ｈが選択され、ジャケット写真Ｈに係るアルバムに属する楽曲が選択または再生可能となる。
【００４５】
次に、図３に示すような画像表示を、操作部１１の操作により横方向にスクロールさせた場合の動作について、図４及び図５に基づき説明する。操作部１１の操作による横方向のスクロールは、左方向操作部１１Ｌまたは右方向操作部１１Ｒをユーザが操作することによって、その操作を検出した制御部１０が、操作された方向に集合画像３０が移動するように表示部１２に表示させる。
【００４６】
図４において、図４（ｂ）はスクロール前の状態を示しており、例えばジャケット写真２０Ｈが全体表示されている状態である。この状態において、表示部１２には、ジャケット写真２０Ｈのみが全体表示され、ジャケット写真２０Ｈの周囲に配置されているジャケット写真２０Ｄ、２０Ｅ、２０Ｆ、２０Ｇ、２０Ｉ、２０Ｊ、２０Ｋ、２０Ｌは一部分のみ表示されている。
【００４７】
図４（ａ）は、図４（ｂ）の状態から左方向操作部１１Ｌの操作により左方向へスクロールされた状態を示しており、図４（ｂ）の状態であるジャケット写真２０Ｈが全体表示されている状態から、左方向へのスクロールによりジャケット写真２０Ｇが全体表示されている状態（図示せず）を経て、ジャケット写真２０Ｉが全体表示されている状態である。
【００４８】
この場合のスクロールにおいては、図４（ｂ）の状態から左方向へスクロールが行われ、集合画像３０の端部を構成するジャケット写真２０Ｇが表示された状態よりさらに左方向操作部１１Ｌの操作が継続されるため、ジャケット写真２０Ｇの表示に連続して繰返し集合写真３０が仮想的に連続して配置されているように、ジャケット写真２０Ｉを含む同列のジャケット写真２０が表示される。
【００４９】
図４（ｃ）は、図４（ｂ）の状態から右方向操作部１１Ｒの操作により右方向へスクロールされた状態を示しており、図４（ｂ）の状態であるジャケット写真２０Ｈが全体表示されている状態から、右方向へのスクロールによりジャケット写真２０Ｉが全体表示されている状態（図示せず）を経て、ジャケット写真２０Ｇが全体表示されている状態である。
【００５０】
この場合のスクロールにおいては、図４（ｂ）の状態から右方向へスクロールが行われ、集合画像３０の端部を構成するジャケット写真２０Ｉが表示された状態よりさらに右方向操作部１１Ｒの操作が継続されるため、ジャケット写真２０Ｇの表示に連続して繰返し集合写真３０が仮想的に連続して配置されているように、ジャケット写真２０Ｇを含む同列のジャケット写真２０が表示される。
【００５１】
このように、集合画像３０の横方向のスクロールは、左方向操作部１１Ｌまたは右方向操作部１１Ｒの操作が継続されている限り、横方向に集合画像３０が繰返し表示される。
【００５２】
図５において、図５（ｂ）はスクロール前の状態を示しており、例えばジャケット写真２０Ｎが全体表示されている状態である。この状態において、表示部２０には、ジャケット写真２０Ｎのみが全体表示され、ジャケット写真２０Ｈの周囲に配置されているジャケット写真２０Ｊ、２０Ｋ、２０Ｌ、２０Ｍ、空白部２２に加えて、ジャケット写真２０Ｎが集合画像３０の下方向の端部であるために繰返し表示されるジャケット写真２０Ａ、２０Ｂ、２０Ｃが一部分のみ表示されている。
【００５３】
図５（ａ）は、図５（ｂ）の状態から左方向操作部１１Ｌの操作により左方向へスクロールされた状態を示しており、図５（ｂ）の状態であるジャケット写真２０Ｎが全体表示されている状態から、左方向へのスクロールによりジャケット写真２０Ｍが全体表示されている状態である。ジャケット写真２０Ｍが全体表示されている状態からさらに左方向操作部１１Ｌの操作が継続されても、ジャケット写真２０Ｍが集合画像３０の左方向の端部であるために繰返し表示される箇所には空白部２２が配置されているために、ジャケット写真２０Ｍが全体表示されている状態より左方向へのスクロールは禁止される。
【００５４】
図５（ｃ）は、図５（ｂ）の状態から右方向操作部１１Ｒの操作により右方向へスクロールされた状態を示しており、図５（ｂ）の状態であるジャケット写真２０Ｎが全体表示されている状態から、右方向へのスクロールが行われるが、ジャケット写真２０Ｎの右方向には空白部２２が配置されているため、ジャケット写真２０Ｎが全体表示されている状態より右方向へのスクロールは禁止される。
【００５５】
次に、本発明の第２の実施例として、コンテンツ再生装置１における画像表示の動作例について図６及び図７に基づき説明する。第２の実施例におけるコンテンツ再生装置の構成および集合画像３０の構成については第１の実施例におけるコンテンツ再生装置の構成と同一であるため、説明を省略する。
【００５６】
図６及び図７は、図３に示すような画像表示を、操作部１１の操作により縦方向にスクロールさせた場合の動作を説明した図であり、操作部１１の操作による縦方向のスクロールは、上方向操作部１１Ｕまたは下方向操作部１１Ｄをユーザが操作することによって、その操作を検出した制御部１０が、操作された方向に集合画像３０が移動するように表示部１２に表示させる。
【００５７】
図６において、図６（ａ）はスクロール前の状態を示しており、例えばジャケット写真２０Ｈが全体表示されている状態である。この状態において、表示部１２には、ジャケット写真２０Ｈのみが全体表示され、ジャケット写真２０Ｈの周囲に配置されているジャケット写真２０Ｄ、２０Ｅ、２０Ｆ、２０Ｇ、２０Ｉ、２０Ｊ、２０Ｋ、２０Ｌは一部分のみ表示されている。
【００５８】
図６（ｂ）は、図６（ａ）の状態から下方向操作部１１Ｄの操作により下方向へスクロールした状態を示しており、図４（ａ）の状態であるジャケット写真２０Ｈが全体表示されている状態から、下方向へのスクロールによりジャケット写真２０Ｋが全体表示されている状態（図示せず）を経て、ジャケット写真２０Ｎが全体表示されている状態である。
【００５９】
この場合のスクロールにおいては、ジャケット写真２０Ｋが全体表示されている状態からさらにスクロールされることによってジャケット写真２０Ｎとともにジャケット写真２０Ｎに隣接する空白部２２も表示されるが、ジャケット写真２０Ｋはスクロール方向における空白部２２の直前に位置する画像ではないため、下方向へのスクロールは継続される。
【００６０】
図６（ｃ）は、図６（ｂ）の状態からさらに下方向操作部１１Ｄの操作が継続された状態を示しており、ジャケット写真２０Ｎが集合画像３０の下方向の端部であるために、集合画像３０が繰返し表示され、ジャケット写真２０Ｂが全画面表示されている状態である。
【００６１】
図７において、図７（ａ）はスクロール前の状態を示しており、例えばジャケット写真２０Ｉが全体表示されている状態である。この状態において、表示部１２には、ジャケット写真２０Ｉのみが全体表示され、ジャケット写真２０Ｉの周囲に配置されているジャケット写真２０Ｅ、２０Ｆ、２０Ｄ、２０Ｈ、２０Ｇ、２０Ｋ、２０Ｌ、２０Ｊは一部分のみ表示されている。
【００６２】
図７（ｂ）は、図７（ａ）の状態から下方向操作部１１Ｄの操作により下方向へスクロールした状態を示しており、ジャケット写真２０Ｌが全体表示されている状態である。この場合、ジャケット写真２０Ｌが全体表示されている状態からさらに下方向操作部１１Ｄの操作が継続されても、ジャケット写真２０Ｌはスクロール方向における空白部２２の直前に位置する画像であるため、ジャケット写真２０Ｌが全体表示された状態より下方向へのスクロールは禁止される。
【００６３】
このような処理によりユーザは、仮想的に縦横に配置されているジャケット写真２０に基づく集合画像３０に空白部２２がある場合、集合画像の末尾や先頭を容易に認識することができ、記憶部１３に記憶されているジャケット写真２０が膨大な数であっても、所望のジャケット写真の位置関係を認識することができる。
【００６４】
このために、集合画像３０の縦方向及び横方向の配列数は、ユーザが任意に変更できるようにしてもよい。さらには、集合画像３０を構成するジャケット写真２０の数が空白部２２を生じない数であった場合は、制御部１０が空白部２２を生じるよう集合画像３０の縦方向及び横方向の配列数を変更する処理を行ってもよい。
【００６５】
本発明の実施の形態は、その要旨を逸脱しない限り、様々に変更可能である。例えば、集合画像３０として表示部１２に表示するジャケット写真２０は、記憶部１３に記憶されている全てのジャケット写真２０として説明したが、所定のジャンルや所定の年代などに属するジャケット写真２０を表示してもよい。
【００６６】
また、実施例２においては、下方向のスクロールについて説明したが、上方向操作部１１Ｕの操作による上方向へのスクロールについても同様である。
【００６７】
また、図３において、空白部２２を集合画像３０の右下端部に配置したが、左下端部や中央下端部であってもよく、さらには空白部２２と同一行のジャケット写真（図３においては、ジャケット写真２０Ｍ、２０Ｎ）を集合画像３０の中央下端部に配置してもよい。
【００６８】
さらに、実施例１および実施例２においては、横方向のスクロールおよび上下方向のスクロールについて説明したが、斜め方向のスクロールであっても同様である。
【符号の説明】
【００６９】
１：コンテンツ再生装置、１０：制御部、１１：操作部、１２：表示部、１３：記憶部、１４：ＤＡＣ、１５：出力部、１６：ＡＤＣ、１７：入力部、１８：外部Ｉ／Ｆ、２０：ジャケット写真、３０：集合画像
【図１】
2011166480.tif 000003
【図２】
2011166480.tif 000004
【図３】
2011166480.tif 000005
【図４】
2011166480.tif 000006
【図５】
2011166480.tif 000007
【図６】
2011166480.tif 000008
【図７】
2011166480.tif 000009
【図８】
2011166480.tif 000010